【手続補正書】
【提出日】平成16年3月10日(2004.3.10)
【手続補正１】
【補正対象書類名】明細書
【補正対象項目名】全文
【補正方法】変更
【補正の内容】
【発明の名称】遊技機
【特許請求の範囲】
【請求項１】外部電源と接続され所定の駆動電圧を各部へ供給する電源部を備えた遊技機において、
前記外部電源と電源部との間に着脱可能に接続され、停電の発生時に前記電源部へ電力の供給を行う無停電電源を備えており、その無停電電源は、２台の無停電電源によって構成されていることを特徴とする遊技機。
【発明の詳細な説明】
【０００１】
【発明の属する技術分野】本発明は、パチンコ機などの遊技機に関し、特に、遊技機の大幅なコストアップを回避しつつ、停電が発生した場合にも遊技を続行することができる遊技機に関するものである。
【０００２】
【従来の技術】
パチンコ機などに代表される弾球遊技機では、遊技領域へ打ち込まれた遊技球（打球）が図柄作動口を通過すると、液晶（ＬＣＤ）ディスプレイで構成される表示装置で図柄の変動表示が開始される。変動表示の結果、図柄が所定の組み合わせで停止すると、大当たりとなって特別遊技状態となる。この特別遊技状態では、遊技領域に設けられた幅広の開口を有する大入賞口が繰り返し所定時間開放されるため、遊技者に大きな遊技価値が付与される。図柄の変動表示が開始されてから特別遊技状態が終了するまでには、一般に数分間を要する。よって、この間に停電が発生すると、特別遊技状態が消失して、停電が解消されても停電前の特別遊技状態を復帰することができない。
【０００３】
また、遊技球が入賞口へ入賞すると５個から１５個の遊技球が払い出されるが、かかる賞球の払い出しが完了する前に停電が発生すると、払い出し動作が途中で停止するので、停電が解消しても停電前の入賞に対する賞球の払い出しを行うことができない。更に、カード読取ユニットは、金額情報を先に引き落としてから貸球の払い出しを行うように構成されているので、貸球の払い出し完了前に停電が発生すると、貸球が払い出されていないにも拘わらず、金額情報だけが引き落とされてしまう。
【０００４】
これらの問題を解決するために、例えば、特開平８−２２９２２４号公報には、無停電電源と、遊技状態に関する情報を記憶するメモリと、そのメモリに記憶される情報を表示する表示器とを備えた遊技用装置が記載されている。かかる遊技用装置によれば、停電時においても、前記メモリおよび表示器へは無停電電源から電力が供給されるので、停電発生時における遊技状態がメモリから読み出されて表示器へ表示される。よって、停電時には、遊技場の係員等が表示器へ表示された情報を見ることにより、遊技者へ何らかの補償を行うことが可能となる。
【０００５】
【発明が解決しようとする課題】
しかしながら、かかる特開平８−２２９２２４号公報に記載の遊技用装置では、回路やプログラムの構成が複雑になって開発コストや装置コストをアップさせてしまうという問題点がある。また、停電時には遊技者に対してたとえ何らかの補償が行われるとしても、停電発生前に図柄の変動表示や特別遊技状態が開始されていた場合には、それを継続することができない遊技者に不満が残ってしまうという問題点がある。更に、賞球や貸球の払い出し完了前に停電が発生した場合には、上記遊技用装置においても、未払いの賞球や貸球を払い出すことはできず、この点に関しては何ら問題が解決していない。
【０００６】
そこで、遊技機全体の電力をバックアップ可能な大容量の無停電電源を遊技機に組み込んで、停電時においても、かかる無停電電源により遊技機およびカード読取ユニットの電源をバックアップして、遊技機などが継続して動作できるようにすることが考えられる。しかし、大容量の無停電電源は遊技機本体の価格と同等程度に高価である。よって、かかる無停電電源を遊技機に組み込むと遊技機自体のコストを大幅に上昇させてしまうという問題点がある。
【０００７】
本発明は上述した問題点を解決するためになされたものであり、遊技機の大幅なコストアップを回避しつつ、停電が発生した場合にも遊技を続行することができる遊技機を提供することを目的としている。
【０００８】
【課題を解決するための手段】
この目的を達成するために請求項１記載の遊技機は、外部電源と接続され所定の駆動電圧を各部へ供給する電源部を備えており、前記外部電源と電源部との間に着脱可能に接続され、停電の発生時に前記電源部へ電力の供給を行う無停電電源を備え、その無停電電源は、２台の無停電電源によって構成されている。
【０００９】
この請求項１記載の遊技機によれば、停電が発生して外部電源からの電力供給が途絶えると、無停電電源から遊技機の電源部に対して電力が供給される。よって、回路やプログラムの構成を変更することなく、特別遊技状態（確率変動状態を含む）などの遊技や賞球及び貸球の払い出し動作を停電前の状態と何ら変わりなく継続することができる。しかも、無停電電源は外部電源と遊技機の電源部との間に着脱可能に接続されるので、遊技場における遊技機の入れ替え（新台入替）の際には、無停電電源を遊技機から取り外して、新たに導入される遊技機に再使用（リサイクル）することができる。
【００１０】
【発明の実施の形態】
以下、本発明の好ましい実施例について、添付図面を参照して説明する。図１は、本発明の実施例におけるパチンコ機１およびカード読取ユニット２３の正面図である。このパチンコ機１は、いわゆる第１種パチンコ機であり、その前面（図１の紙面に対して手前側）には前面枠２が配設されている。この前面枠２は、略矩形額縁状に形成されており、その略中央部分には略矩形状の開口２ａが穿設され、かかる開口２ａの内周には金枠３が周設されている。前面枠２の正面に向かって左側の上下両コーナー部分には、ヒンジ３９が取り付けられており、前面枠２はこのヒンジ３９を揺動軸として後述する外枠４６に対して開閉動自在に構成されている。
【００１１】
金枠３の内側の上方には、２枚のガラス板４ａ，４ｂをそれぞれ装着可能なガラス扉枠４が開閉可能に配設されており、ガラス扉枠４の後方（図１の紙面に対して奥側）には遊技盤５が配置されている。尚、ガラス板４ａはガラス扉枠４の前側部分に装着され、ガラス板４ｂはガラス板４ａの後側部分に装着される。即ち、ガラス板４ａと遊技盤５との間にガラス板４ｂが装着される。
【００１２】
遊技盤５の前面には略円弧状の外レール６が植立され、その外レール６の内側位置には円弧状の内レール７が植立されている。この内レール７および外レール６により囲まれた遊技盤５の前面には、遊技球（打球）Ｐが打ち込まれる遊技領域８が形成されており、遊技領域８の周囲には、遊技球Ｐが入賞することにより６個の遊技球Ｐが賞球として払い出される複数の普通入賞口９が配設されている。この複数の普通入賞口９が配設された遊技領域８の略中央部分には、複数種類の識別情報としての図柄などを表示する液晶（ＬＣＤ）ディスプレイ１０を備えた可変表示装置１１が配設されている。
【００１３】
この可変表示装置１１の液晶ディスプレイ１０の手前側周囲には、可変表示装置１１の装飾部材を兼ねたセンターフレーム１１ａが周設されており、このセンタフレーム１１ａにより液晶ディスプレイ１０の周囲が装飾されている。センタフレーム１１ａの上部中央には表示装置の一種である７セグメントＬＥＤ１１ｂが配設されており、この７セグメントＬＥＤ１１ｂにより図柄作動口１２を通過した遊技球数（保留球数）が表示される。
【００１４】
可変表示装置１１の下方には、図柄作動口（第１種始動口）１２が配設されている。図柄作動口１２を遊技球Ｐが通過することにより、第１種始動口スイッチ（図示せず）がオンして、上述した可変表示装置１１の変動表示が開始されると共に、６個の遊技球Ｐが賞球として払い出される。また、図柄作動口１２の下方には可変入賞装置１３が配設されている。この可変入賞装置１３は、遊技盤５に取着可能に形成された本体フレーム１３ａを備えており、その略中央部分には２以上の遊技球Ｐが同時に通過可能な幅広の矩形状の開口である大入賞口の開口１３ｂが穿設されている。
【００１５】
この大入賞口の開口１３ｂは、大入賞口の一部を構成しており、可変表示装置１１の変動後の表示結果が予め定められた図柄の組み合わせ（大当たり表示）の１つと一致する場合に、遊技球Ｐが入賞しやすいように所定時間（例えば、３０秒間）経過するまで、又は、所定個数（例えば、１０個）の遊技球Ｐが大入賞口の開口１３ｂへ入賞するまで、開放されるものである。この大入賞口の開口１３ｂの開閉動作の行われ得る状態が、いわゆる所定の遊技価値の付与された状態（特別遊技状態）である。
【００１６】
大入賞口の開口１３ｂには、開閉シャッタ１３ｃが配設されている。この開閉シャッタ１３ｃは、大入賞口の開口１３ｂの形状に適合して形成されており、大入賞口の開口１３ｂを開閉するものである。また、本体フレーム１３ａの前面であって、開閉シャッタ１３ｃの前方にはガード部材１３ｄが配設されている。尚、大入賞口は、大入賞口の開口１３ｂ、開閉シャッタ１３ｃ、ガード部材１３ｄで構成されている。
【００１７】
可変入賞装置１３の下方であって、上述した遊技領域８の最下方には、いずれの入賞口にも入賞しなかった遊技球Ｐを遊技領域８外へ排出するためのアウト口１４が形成されている。このアウト口１４の形成された遊技領域８の前方に配設されるガラス扉枠４の下方には、金枠３に開閉可能に取着された前面扉板（腰板）１５が配設されている。この前面扉板１５の前面には遊技球Ｐを貯留し、かつ、遊技球発射装置（図示せず）へ遊技球Ｐを供給する上皿１６が配設され、その上皿１６の下方であって、前面枠２の下側部分には上皿１６に貯留しきれなかった遊技球Ｐを貯留するための下皿１７が配設されている。また、下皿１７の右側部分には、遊技球Ｐを遊技領域８へ打ち込むために遊技者により操作される操作ハンドル１８が配設され、かかる操作ハンドル１８の内部には遊技球発射装置の発射用モータ３８（図２参照）を回転させるためのスイッチであるハンドルスイッチ１８ａが内蔵されている。
【００１８】
上述した上皿１６の上方における前面扉板１５の上部中央には、後述するカード読取ユニット２３により読み取られたカードの残高金額を表示するために、３つの７セグメントＬＥＤにより構成された残高表示器１９が配設されている。この残高表示器１９の右側には、後述するカード読取ユニット２３のカード挿入口２４に挿入されたカードを取り出す場合に押下される返却ボタン２０が配設される一方、残高表示器１９の左側には、貸球の払い出し（貸出）を開始する際に押下される貸出ボタン２１が配設されている。また、貸出ボタン２１の左側上方には貸出ボタン２１が押下可能か否かを報知する貸出ボタンランプ２２が配設されている。この貸出ボタンランプ２２は、貸出ボタン２１が受付可能な状態である場合に点灯される一方、貸出ボタン２１が受付不可能な状態である場合に消灯される。よって、遊技者は、この貸出ボタンランプ２２を視認することにより、貸出ボタン２１が受付可能であるか否かを判断することができる。
【００１９】
上記のように構成されたパチンコ機１の左側には、正面視長方形状のカード読取ユニット２３が並設されている。カード読取ユニット２３はカードに記録された残高金額のデータを読み取るためのものであり、その上下方向における略中央部分には、金銭と同等の有価価値を有するカードを挿入するためのカード挿入口２４が配設されている。このカード挿入口２４の上方であって、カード読取ユニット２３の上部には１つのＬＥＤで構成されたカード利用可能ランプ２５が配設されている。このカード利用可能ランプ２５は、例えば、カード挿入口２４へカードが挿入可能である場合に点灯される一方、カード挿入口２４へカードが挿入不可能である場合に消灯される。よって、遊技者は、このカード利用可能ランプ２５を視認することにより、カード読取ユニット２３が使用可能であるか否かを判断することができる。
【００２０】
カード挿入口２４とカード利用可能ランプ２５との間部分であって、カード読取ユニット２３の上側位置には、カードに記録された残高金額のデータに基づいて貸出金額を設定するための金額設定ボタン２６が配設されており、この金額設定ボタン２６を押下することにより貸出金額を１００円、２００円、３００円または５００円に設定することができる。金額設定ボタン２６の下側には、端数表示ボタン２７が配設されている。この端数表示ボタン２７は、カードに記録された残高金額が貸出金額の最低額（例えば、１００円）に満たない場合に、その端数を残高表示器１９に表示する際に押下されるものである。
【００２１】
また、端数表示ボタン２７の下側には、略三角形状に形成された上下一対の連結台方向表示ランプ２８が配設されている。この一対の連結台方向表示ランプ２８は、カード読取ユニット２３が接続されているパチンコ機１の配設（並設）方向を示すためのものであり、その内部にそれぞれ１つずつＬＥＤが内蔵されている。よって、例えば、カード読取ユニット２３がその右側に並設されるパチンコ機１に接続される場合には下側のＬＥＤが点灯され、カード読取ユニット２３がその左側に並設されるパチンコ機（図示せず）に接続される場合には上側のＬＥＤが点灯されるのである。この連結台方向表示ランプ２８の下側には、１つのＬＥＤで構成されたカード挿入中ランプ２９が配設されており、このカード挿入中ランプ２９は、カードがカード挿入口２４に挿入されている場合に点灯される一方、カードがカード挿入口２４に挿入されていない場合に消灯される。尚、カード利用可能ランプ２５および連結台方向表示ランプ２８は、カード読取ユニット２３の電源投入とともに点灯される。
【００２２】
図２は、パチンコ機１およびカード読取ユニット２３の裏面図であり、球タンク３３、タンクレール３４、屈曲樋３５、縦樋３６および球払出装置４０内にある遊技球Ｐを透視して図示している。図２に示すように、パチンコ機１の裏面の外周には、略矩形額縁状に木製又は合成樹脂製の外枠４６が周設されている。その外枠４６は、上下の枠材４６ａ，４６ｂと左右の枠材４６ｃ，４６ｄで縦長長方形に枠組みし、その前面下縁に幕板４６ｅを張設してなる。外枠４６には図２に向かって右側に、上のコーナー部分と幕板４６ｅ上面とにそれぞれヒンジ３９が取り付けられている。前述したように、このヒンジ３９によって前面枠２は外枠４６に対して開閉動自在に構成されている。
【００２３】
前面枠２の裏側には、略平板状の機構板３０が開閉自在に配設されており、この機構板３０の略中央部分に対応して入賞球集合カバー３１が配設されている。この入賞球集合カバー３１は、上述した複数の普通入賞口９や可変入賞装置１３へ入賞した遊技球Ｐを集めるためのものであり、遊技盤５の裏面に取り付けられ、その裏面（図２の手前側面）にはパチンコ機１の遊技内容を制御するための主基板Ｃを収納する基板ボックス３２が着脱可能に取着されている。
【００２４】
基板ボックス３２の上方であって、機構板３０の裏面における左側上部には多数の遊技球Ｐを貯留するための球タンク３３が配設されている。この球タンク３３は、その上部が開放された皿状に形成されており、多数の遊技球Ｐを貯留可能に形成されている。球タンク３３は、その左側下面に内部と連通する排出口３３ａが穿設されており、その排出口３３ａへ向けて底板３３ｂが下降傾斜されている。よって、球タンク３３に貯留された遊技球Ｐを底板３３ｂに沿って転動させて、排出口３３ａから排出することができるのである。
【００２５】
球タンク３３の下方には、機構板３０裏面の右側へ向けて下降傾斜された２条のタンクレール３４が配設されている。このタンクレール３４は、球タンク３３の排出口３３ａから排出された遊技球Ｐを導き出すためのものであり、その下流側端には、略横Ｕ字形に屈曲形成された屈曲樋３５が連設されている。この屈曲樋３５の下流側には、遊技球Ｐを後述する球払出装置４０へ導出するための縦樋３６の上端側が連設されている。この縦樋３６は、その上流側部分が略直線状に形成されており、その中流側部分が略横Ｕ字形に屈曲形成されている。また、縦樋３６の屈曲形成された中流側部分の下流側には導出通路３６ａ，３６ｂがそれぞれ設けられており、その更に下流側には遊技球Ｐを排出する排出樋３７が配設されている。この排出樋３７と縦樋３６との間部分には縦樋３６の導出通路３６ａ，３６ｂから導出された遊技球Ｐを排出樋３７へ払い出す球払出装置４０が配設されている。前面枠２の裏面の下方左側には、遊技球Ｐを遊技領域８へ打ち込むための遊技球発射装置の発射用モータ３８が配設されている。
【００２６】
球払出装置４０の右側方であってカード読取ユニット２３の裏面にはコネクタ４１が設けられている。また、パチンコ機１の機構板３０裏面の基板ボックス３２下方には、払出制御基板ボックス４２が配設されており、その払出制御基板ボックス４２にはコネクタ４２ａが設けられている。両コネクタ４１，４２ａには接続ケーブル４３が差し込まれており、この接続ケーブル４３によって、パチンコ機１とカード読取ユニット２３とが電気的に接続されている。
【００２７】
前面枠２裏面のカード読取ユニット２３側（ヒンジ３９側、反発射用モータ３８側）の下方には、無停電電源５０が着脱可能に付設されている。無停電電源とは、無停電電源に接続された機器に対して、停電時に所定の電力を供給するものである。この無停電電源としては、例えば、蓄電池のように電気的エネルギーを蓄えるもの、発電装置のように電力を発電するものなどがある。特に、電気的エネルギーを蓄える蓄電池タイプとしては、外部（商用）電源に異常がない時（非停電時）は直送回路を通じて無停電電源に接続された機器に対して外部電源から出力される電力を供給し、停電すると回路を切り替えてインバータで電池の直流を交流に変換し、無停電電源から電力を供給する常時商用給電タイプや、通電時（非停電時）・停電時の区別なく、常にインバータを介して交流電流を無停電電源に接続された機器に対して供給する常時インバータ給電タイプなどがある。常時商用給電タイプには、小型、軽量、内部消費電力が小さいなどのメリットがあり、常時インバータ給電タイプは、停電時にも連続的に供給電源の切り替えが行われるので、精度を要するデータの保護に適している。本実施例の無停電電源５０には、後者の常時インバータ給電タイプが使用されている。
【００２８】
本実施例の無停電電源５０は、２つのコンセント５１，５２を備えている。よって、一方のコンセント５１にはパチンコ機１の電源プラグ４４ａを介して電源コード４４ｂを、他方のコンセント５２にはカード読取ユニット２３の電源プラグ４５ａを介して電源コード４５ｂをそれぞれ接続して、無停電電源５０からパチンコ機１及びカード読取ユニット２３へ電力を供給することができる。なお、無停電電源５０自体は、電源コード５３ｂを介して電源プラグ５３ａを外部電源（商用電源）のコンセントに差し込んで、外部電源から電力の供給を受ける。
【００２９】
前述のように、無停電電源５０は前面枠２の裏面のヒンジ３９側に付設されているので、パチンコ機１の表側から前面枠２を開いた時に、無停電電源５０および機構板３０は前面枠２と一緒にパチンコ機１の表側へ移動する。よって、パチンコ機１の電源コード４４ｂの長さを前面枠２の開閉を考慮して余分に確保しておく必要がない。
【００３０】
なお、図３に示すように、無停電電源５０を前面枠２ではなく、外枠４６下辺の枠材４６ｂの上面に着脱可能に付設してもよい。このように無停電電源５０を付設することにより、カード読取ユニット２３が発射用モータ３８側（図３における、パチンコ機１の左側）に配設されていた場合にも、発射用モータ３８との干渉を避けつつ、無停電電源５０をカード読取ユニット２３側に配設することができる。
【００３１】
図４（ａ）は、無停電電源５０の取り付け状態を示したパチンコ機１裏面の部分的な拡大斜視図である。パチンコ機１の裏面において、カード読取ユニット２３側の下方には、矩形板状の部材を複数箇所折り曲げて台状に形成されたホルダ７１が配設されており、その脚部７１ａは前面枠２の裏面に固着されている。ホルダ７１の突出面の両端部略中央には、後述する取付具７２のロック部材７２ａが挿嵌可能な円形状の挿嵌孔７１ｂがそれぞれ穿設されている。
【００３２】
一方、無停電電源５０のコンセント５１，５２が配設された面の裏面側には、薄板状の取付板５０ａが無停電電源５０の外周よりも突出して形成されており、その幅方向の突出面の両端部略中央には、ホルダ７１と同じく、取付具７２のロック部材７２ａが挿嵌可能な円形状の挿嵌孔５０ｂが、ホルダ７１の挿嵌孔７１ｂと重なり合う位置に、それぞれ穿設されている。取付板５０ａの２つの挿嵌孔５０ｂおよびホルダ７１の２つの挿嵌孔７１ｂに、それぞれ取付具７２が取着されることにより、無停電電源５０がホルダ７１に着脱可能に付設される。
【００３３】
次に、無停電電源５０を前面枠２の裏面に取り付けた状態を示した部分断面図（図４（ｂ））によって、取付具７２の取付方法および取り外し方法について説明する。無停電電源５０をホルダ７１に取り付けるための取付具７２は、パネルファスナとして汎用されているナイラッチ（登録商標）で構成されている。この取付具７２は、その円筒状に形成されたロック部材７２ａと、そのロック部材７２ａ内に摺動可能に挿嵌されたボタン部材７２ｂとを備えている。図４（ｂ）に示すように、ロック部材７２ａは、その先端部（図４（ｂ）の右側端）に切り込みが設けられており、その外径方向へ開閉可能に形成されている。
【００３４】
この取付具７２によれば、そのロック部材７２ａが挿嵌孔５０ｂ，７１ｂに挿嵌された状態でボタン部材７２ｂが前面枠２側（図４（ｂ）の右側）へ向けて押し込まれると、そのロック部材７２ａの先端部（図４（ｂ）の右端部）が外径方向へ開かれ拡大されて、挿嵌孔７１ｂ内に係止される。かかる挿嵌孔７１ｂ内にロック部材７２ａの先端部が係止されることにより、取付具７２がホルダ７１に取り付けられ、無停電電源５０が前面枠２裏面のホルダ７１に取り付けられるのである。
【００３５】
一方、取付具７２は、そのボタン部材７２ｂが挿嵌孔７１ｂ側と反対側（図４（ｂ）の左側）へ向けて引き出されると、そのロック部材７２ａの先端部（図４（ｂ）の右端部）が閉じられ先端部の外径が縮小されて、挿嵌孔７１ｂ内から抜き取り可能となる。よって、取付具７２がホルダ７１から取り外し可能となり、無停電電源５０が前面枠２裏面のホルダ７１から取り外し可能となるのである。
【００３６】
次に、上記のように構成されたパチンコ機１における停電時の動作について説明する。停電が発生して外部電源からの電力供給が途絶えると、無停電電源５０からパチンコ機１およびカード読取ユニット２３に対して電力が供給される。ここで、図柄の変動表示中や特別遊技状態中、球払出装置４０による賞球の払い出し中、あるいは、カード読取ユニット２３による貸球の払い出し中以外の遊技をしている遊技者に対しては、遊技場（パチンコホール）の係員が遊技を中断してもらうように指示を出し、遊技を中断してもらう。よって、これ以降は、図柄の変動表示中や特別遊技状態中、球払出装置４０による賞球の払い出し中、あるいは、カード読取ユニット２３による貸球の払い出し中の遊技者のみが無停電電源５０からの電力供給を受けて遊技を続行することになる。
【００３７】
図柄の変動表示や球払出装置４０による特別遊技状態ではない通常遊技状態における賞球の払い出し、カード読取ユニット２３による貸球の払い出しは、１分以内に完了する。このため、図柄の変動表示がはずれ図柄で停止した場合や、賞球や貸球の払い出しが完了した場合には、遊技場の係員が遊技者に対して、その後は遊技を続行しないよう指示を出し、遊技を中断してもらう。また、図柄の変動表示の結果、大当たりが発生して特別遊技状態となる場合を含めて、一般に、特別遊技状態は４〜５分間継続する。しかし、その特別遊技状態が終了した場合には、遊技場の係員が遊技者に対して、その後は遊技を続行しないよう指示を出し、遊技を中断してもらうのである。
【００３８】
遊技場の係員による上述の指示により、停電発生から略５分以内に全ての遊技者が遊技を中断する。この場合、大当たりによる特別遊技状態の最中であった遊技者は特別遊技状態を最後まで行うことができ、また、球払出装置４０による賞球の払い出しを受けていた遊技者や、カード読取ユニット２３による貸球の払い出しを受けていた遊技者は、すべての賞球や貸球の払い出しを受けることができる。よって、停電による損害を誰一人として被ることがなく、停電など不慮の事故の発生時においても遊技者に不満を抱かせることがないのである。
【００３９】
なお、前述のように停電時において遊技の中断を遊技場の係員の指示によって行う代わりに、図柄の変動表示中や特別遊技状態中、賞球や貸球の払い出し中以外の遊技をしている場合には、無停電電源からの電力供給を自動的に停止するように構成しても良い。この場合には、加えて、停電発生時に行われていた図柄の変動表示（変動表示の結果、大当たりが発生する場合は、その大当たりによる特別遊技状態）や特別遊技状態、賞球や貸球の払い出しがすべて完了した場合に、無停電電源５０からの電力供給を停止するように構成すれば良い。
【００４０】
このように本実施例のパチンコ機１は、停電が発生して外部電源からの電力供給が途絶えても、無停電電源５０からパチンコ機１及びカード読取ユニット２３に対して電力が供給されるので、図柄の変動表示や特別遊技状態、球払出装置４０による賞球の払い出し、カード読取ユニット２３による貸球の払い出しを停電前の状態と何ら変わりなく継続することができる。よって、停電の発生によって遊技の中断を余儀なくされても、遊技者に不満を抱かせることがないのである。また、パチンコ機１のソフトウエアやカード読取ユニット２３においては、全く変更を加えることなく、本実施例のパチンコ機１を開発することができる。よって、本実施例のパチンコ機１の開発コストを極めて少なくすることができるのである。
【００４１】
更に、パチンコ機１の入れ替え（新台入替）の際に、使用済みのパチンコ機１から無停電電源５０を取り外して、新たに導入されるパチンコ機１へ取り付けて再使用（リサイクル）することができる。このように無停電電源５０を再使用することにより、新たなパチンコ機１には無停電電源５０を未装着にして出荷することができるので、パチンコ機１の装置コストを大幅にアップさせてしまうことがないのである。
【００４２】
なお、上述した通り、本実施例では、停電発生から略５分程度ですべての遊技者が遊技を中断するので、無停電電源５０のバックアップ時間は最短でも略６〜８分程度あれば十分である。このように、本実施例では無停電電源５０のバックアップ時間を短く設定することができるので、その分、使用される無停電電源５０のコストを低くして、パチンコ機１の装置コストを低減することができるのである。
【００４３】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４４】
例えば、上記実施例では、２つのコンセント５１，５２を有する１台の無停電電源５０をパチンコ機１の裏面に着脱可能に付設して構成したが、これに対し、図５に示すように、１つのコンセントを有する２台の無停電電源６０，６１をパチンコ機１の裏面に着脱可能に付設するように構成しても良い。かかる構成によれば、カード読取ユニット２３の電源プラグ４５ａが差し込まれる側の無停電電源６１は貸球の払い出しに要する時間をバックアップすれば良い。かかる時間は略１０秒程度であるので、無停電電源６１のバックアップ時間は略１分程度で十分である。よって、かかる構成によれば、カード読取ユニット２３側の無停電電源６１のバックアップ時間を短く設定することができ、その分、パチンコ機１の装置コストを低減することができる。
【００４５】
また、貸球の払い出しがカード読取ユニット２３によって行われるのではなく、直接現金を台間玉貸機に投入し、貸球を受領するような構成のパチンコ機１の場合、台間玉貸機はカード読取ユニット２３のようにパチンコ機１と電気的に接続されていないので、停電が発生した場合に台間玉貸機の電源をパチンコ機１側でバックアップする必要はない。よって、かかる構成のパチンコ機１の場合は、台間玉貸機に対する無停電電源６１は不要となり、さらにコストを低減することができる。
【００４６】
上記実施例では、取付具７２によって無停電電源５０をパチンコ機１に着脱可能に付設する方法を説明したが、それ以外の方法について、以下に説明する。まず、可動式取付具の一種である回動ロック筒８１によって、無停電電源５０をパチンコ機１に着脱可能に付設する方法について説明する。図６は、回動ロック筒８１による無停電電源５０の取り付け状態を示したパチンコ機１裏面の部分的な拡大斜視図である（カード読取ユニット２３を図示せず）。無停電電源５０の取付板５０ａの四隅部には、半円形の欠円状嵌合孔５０ａ１と、その嵌合孔５０ａ１を中心とする円弧状で浅溝の係止溝面５０ａ２とからなる係合部５０ａ３が形成されている。
【００４７】
また、前面枠２の裏面において、係合部５０ａ３の配列に対応する位置であって、取付板５０ａの外周の内側位置には、係合部材として回動ロック筒８１がおねじ８２によって回動可能に支持されている。前面枠２裏面のおねじ８２の配列に対応する位置には、めねじ孔８３がそれぞれ凹設されている。回動ロック筒８１は、前面枠２の裏面にその下面を当接し、嵌合孔５０ａ１に遊嵌する筒部８１ａと、筒部８１ａ先端から面方向に突出する係止突片８１ｂとからなる。この係止突片８１ｂの長さは、係止溝面５０ａ２の半径より短い。筒部８１ａの前面枠２裏面からの突出量は、取付板５０ａの厚さと略等しく、かつ係止突片８１ｂの厚さは係止溝面５０ａ２の深さと略等しく形成されているので、回動ロック筒８１を回動させると、係止突片８１ｂが係止溝面５０ａ２上に緊密に接触する。
【００４８】
回動ロック筒８１は、筒部８１ａにおねじ８２を貫通させ、そのおねじ８２を前面枠２の裏面に凹設されているめねじ孔８３に螺入することにより、前面枠２の裏面に回動可能に取着される。
【００４９】
この回動ロック筒８１による無停電電源５０の取付方法は、まず、回動ロック筒８１の係止突片８１ｂを外方に位置させ、無停電電源５０を取付板５０ａに形成された嵌合孔５０ａ１に筒部８１ａが嵌入するように前面枠２の裏面に押し当てる。次に、係止突片８１ｂの先端方向が無停電電源５０の略中心方向を向くように回動ロック筒８１を回転させる。これにより、係止突片８１ｂは、係止溝面５０ａ２上に緊密に接触配置され、無停電電源５０を前面枠２の裏面に取り付けることができる。一方、上述の操作の逆を施せば、無停電電源５０を前面枠２の裏面から容易に取り外すことができる。
【００５０】
次に、ねじによって無停電電源５０をパチンコ機１に着脱可能に付設する方法について説明する。図７は、ねじによる無停電電源５０の取り付け状態を示したパチンコ機１裏面の部分的な拡大斜視図である（カード読取ユニット２３を図示せず）。パチンコ機１の前面枠２の裏面には、長方形を形成する４頂点の各位置にめねじ孔９１がそれぞれ凹設されている。また、取付板５０ａの外周部の４隅には円柱状に穿設された孔９２がそれぞれ設けられている。各めねじ孔９１及び各孔９２の配設間隔は互いに対応しており、おねじ９３を孔９２内へ挿入し、めねじ孔９１内へ螺入することにより、無停電電源５０をパチンコ機１の前面枠２の裏面に対して螺着することができる。このように、無停電電源５０はパチンコ機１に対して螺着されているので、おねじ９３を逆回転することにより、無停電電源５０をパチンコ機１から容易に取り外すことができるのである。
【００５１】
更に、無停電電源５０が螺着されるめねじ孔９１には、必ずしもめねじが螺刻されている必要はなく、例えば、めねじ孔９１をおねじ９３よりも小径の穴で形成するようにしても良い。以上のように、４つのおねじ９３によって、無停電電源５０が前面枠２の裏面に着脱可能に螺着されるので、既存のパチンコ機１の前面枠２の裏面に４つのめねじ孔９１を螺刻（凹設）するだけで、本実施例のパチンコ機１とすることができる。
【００５２】
本実施例においては、パチンコ機１及びカード読取ユニット２３と無停電電源５０，６０，６１との接続は、電源プラグ４４ａ，４５ａを無停電電源５０，６０，６１のコンセント５１，５２に差し込むことにより行われた。しかし、かかる電源プラグとコンセントとの組み合わせに代えて、パチンコ機１及びカード読取ユニット２３の電源入力端子と無停電電源５０，６０，６１の電源出力端子とを電気的に接続するように構成しても良い。具体的には、両端子をリード線により連結するものなどがある。また、本実施例は、第１種パチンコ機１を例に説明したが、第２種または第３種パチンコ機、或いは、スロットマシンなどの遊技機に本発明を適用するようにしても良いのである。
【００５３】
以下に本発明の変形例を示す。外部電源と接続され所定の駆動電圧を各部へ供給する電源部を備えた遊技機において、停電の発生時に前記電源部へ電力の供給を行う無停電電源を前記外部電源と電源部との間に着脱可能に接続し得ることを特徴とする遊技機１。
【００５４】
請求項１記載の遊技機、又は、遊技機１において、前記無停電電源は、遊技機の前面枠裏側に配設されることを特徴とする遊技機２。
【００５５】
請求項１記載の遊技機、又は、遊技機１において、前記無停電電源は、遊技機裏側の外枠下辺の枠材上面に配設されることを特徴とする遊技機３。
【００５６】
請求項１記載の遊技機、又は、遊技機１から３のいずれかにおいて、前記無停電電源は、遊技機裏側のヒンジ側に配設されることを特徴とする遊技機４。
【００５７】
請求項１記載の遊技機、又は、遊技機１から３のいずれかにおいて、前記無停電電源は、遊技機裏側のカード読取ユニット側に配設されることを特徴とする遊技機５。
【００５８】
請求項１記載の遊技機、又は、遊技機１から５のいずれかにおいて、前記無停電電源は、２組以上の出力端子（コンセント）を有していることを特徴とする遊技機６。かかる構成によれば、無停電電源に遊技機とその遊技機に隣接して配設されるカード読取ユニットなどの隣接機とを接続することができるので、停電時には遊技機および隣接機の両者に対して電力を供給することができる。
【００５９】
請求項１記載の遊技機、又は、遊技機１から６のいずれかにおいて、前記無停電電源は、パチンコ機に接続される主端子と隣接機に接続される接続される予備端子とを備えていることを特徴とする遊技機７。
【００６０】
請求項１記載の遊技機、又は、遊技機１から７のいずれかにおいて、前記無停電電源は、２台の無停電電源によって構成されていることを特徴とする遊技機８。かかる構成によれば、各無停電電源に遊技機とその遊技機に隣接して配設されるカード読取ユニットなどの隣接機とをそれぞれ接続することができるので、隣接機側の無停電電源のバックアップ時間を短く設定することができ、その分、パチンコ機の装置コストを低減することができる。さらに、貸球の払い出しが現金で行われるような構成のパチンコ機の場合、台間玉貸機はパチンコ機と電気的に接続されていないので、停電が発生した場合に台間玉貸機の電源をパチンコ機側でバックアップする必要はなく、隣接機側の無停電電源は不要となるので、さらにコストを低減することができる。
【００６１】
請求項１記載の遊技機において、前記無停電電源は、複数の遊技機が列設される遊技機島に設けられていることを特徴とする遊技機９。
【００６２】
【発明の効果】
この請求項１記載の遊技機によれば、停電が発生して外部電源からの電力供給が途絶えると、無停電電源から遊技機の電源部に対して電力が供給されるので、回路やプログラムの構成を変更することなく、特別遊技状態（確率変動状態を含む）などの遊技や賞球及び貸球の払い出し動作を停電前の状態と何ら変わりなく継続することができるという効果がある。しかも、無停電電源は外部電源と遊技機の電源部との間に着脱可能に接続されるので、遊技場における遊技機の入れ替え（新台入替）の際には、無停電電源を遊技機から取り外して、新たに導入される遊技機に再使用（リサイクル）することができる。よって、高価な無停電電源を用いても、新たに導入される遊技機の大幅なコストアップを解消することができるという効果がある。
また、無停電電源を２台備えているので、各無停電電源に遊技機とその遊技機に隣接して配設されるカード読取ユニットなどの隣接機とをそれぞれ接続することができる。よって、隣接機側の無停電電源のバックアップ時間を短く設定することができ、その分、パチンコ機の装置コストを低減することができるという効果がある。さらに、貸球の払い出しが現金で行われるような構成のパチンコ機の場合、台間玉貸機はパチンコ機と電気的に接続されていないので、停電が発生した場合に台間玉貸機の電源をパチンコ機側でバックアップする必要はなく、隣接機側の無停電電源は不要となる。従って、遊技機のコストをさらに低減することができるという効果がある。
【図面の簡単な説明】
【図１】本発明の実施例であるパチンコ機およびカード読取ユニットの正面図である。
【図２】パチンコ機およびカード読取ユニットの裏面図である。
【図３】無停電電源を外枠に付設した場合の、パチンコ機およびカード読取ユニットの裏面図である。
【図４】（ａ）は、無停電電源の取り付け状態を示したパチンコ機裏面の部分的な拡大斜視図であり、（ｂ）は、無停電電源を前面枠の裏面に取り付けた状態を示した部分断面図である。
【図５】無停電電源の変形例を示したパチンコ機およびカード読取ユニットの裏面図である。
【図６】回動ロック筒による無停電電源の取り付け状態を示したパチンコ機裏面の部分的な拡大斜視図である
【図７】ねじによる無停電電源の取り付け状態を示したパチンコ機裏面の部分的な拡大斜視図である
【符号の説明】
１                    パチンコ機
２３                  カード読取ユニット
４４ａ                パチンコ機の電源プラグ
４４ｂ                パチンコ機の電源コード
４５ａ                カード読取ユニットの電源プラグ
４５ｂ                カード読取ユニットの電源コード
５０，６０，６１      無停電電源
５０ｂ                挿嵌孔
５３ａ                無停電電源の電源プラグ
５３ｂ                無停電電源の電源コード
７１ｂ                挿嵌孔
７２                  取付具